(57)【要約】  ファスニング構成要素を支持する安定なキャリアタブとベースタブを組み合わせるクロージャシステム、およびクロージャシステムの製造方法を開示する。キャリアタブは、ベースタブの一方側とだけ重なり合い、結合テープによってベースタブに接続されている。結合テープは、キャリアタブの内縁を覆うように配置され、結合テープの一部はベースタブに取り付けられ、結合テープの別の部分は、キャリアタブに取り付けられている。その結果、キャリアタブの一部は、結合テープとベースタブの間に配置されている。
2007507251.tif 000002
【特許請求の範囲】
【請求項１】
クロージャシステムであって、
外縁並びに第１および第２の主面を備えるベースタブと、
第１および第２の主面、内縁並びに反対側の外縁を備え、該内縁および該外縁が長さを画定するキャリアタブと、
前記キャリアタブの前記第１および第２の主面の少なくとも一方に取り付けられるファスナ構成要素と、
前記キャリアタブの前記第１の主面の一部が前記ベースタブの前記第２の主面に対面して、前記ベースタブの前記外縁が前記キャリアタブの前記内縁と前記外縁との間に配置されるようになっているオーバラップ領域と、
前記オーバラップ領域に隣接する前記ベースタブの前記第２の主面に取り付けられるとともに、前記オーバラップ領域内で前記キャリアタブの前記第１の主面に取り付けられる結合テープとを具備し、
前記キャリアタブの前記内縁が、前記結合テープと前記ベースタブの前記第２の主面との間に配置される、
クロージャシステム。
【請求項２】
前記オーバラップ領域内で、前記キャリアタブの前記第１の主面と前記ベースタブの前記第２の主面との間に接着剤が配置されていない、請求項１に記載のクロージャシステム。
【請求項３】
前記結合テープが、前記ベースタブと前記キャリアタブとに溶接されている、請求項１又は２に記載のクロージャシステム。
【請求項４】
前記結合テープが、前記ベースタブと前記キャリアタブとに接着されている、請求項１に記載のクロージャシステム。
【請求項５】
前記結合テープが、前記ベースタブと前記キャリアタブとに接着および溶接されている、請求項１に記載のクロージャシステム。
【請求項６】
前記結合テープが、前記ベースタブと前記キャリアタブとに面する感圧接着剤層を備える、請求項４又は５に記載のクロージャシステム。
【請求項７】
前記ベースタブの少なくとも一部が弾性を示す、請求項１〜６のいずれか１項に記載のクロージャシステム。
【請求項８】
前記キャリアタブが非弾性である、請求項１〜７のいずれか１項に記載のクロージャシステム。
【請求項９】
前記結合テープが非弾性である、請求項１〜８のいずれか１項に記載のクロージャシステム。
【請求項１０】
前記ベースタブが、使い捨て衣類の一体的部分を含む、請求項１〜９のいずれか１項に記載のクロージャシステム。
【請求項１１】
前記ファスナ構成要素が、前記キャリアタブに接着されている、請求項１〜１０のいずれか１項に記載のクロージャシステム。
【請求項１２】
前記ファスナ構成要素が、メカニカルファスナ構成要素を含む、請求項１〜１１のいずれか１項に記載のクロージャシステム。
【請求項１３】
前記結合テープが、前記キャリアタブの前記長さを横切る方向に測定したときに、前記キャリアタブの幅と同じ広がりを有する、請求項１〜１２のいずれか１項に記載のクロージャシステム。
【請求項１４】
前記ファスナ構成要素が、前記キャリアタブの前記長さを横切る方向に測定したときに、前記キャリアタブの幅と同じ広がりを有する、請求項１〜１３のいずれか１項に記載のクロージャシステム。
【請求項１５】
クロージャシステム用の複合ウェブの製造方法であって、
外縁並びに第１および第２の主面を備えるベースタブウェブを用意することと、
第１および第２の主面、内縁並びに反対側の外縁を備えるキャリアタブウェブを用意することと、
前記ベースタブウェブと前記キャリアタブウェブとを整列させ、それにより、前記キャリアタブウェブの前記第１の主面の一部が前記ベースタブウェブの前記第２の主面に対面して、前記ベースタブウェブの前記外縁が前記キャリアタブウェブの前記内縁と前記外縁との間に配置されるようになっているオーバラップ領域を形成することと、
前記キャリアタブウェブの前記内縁を覆うように結合テープを整列させて、前記キャリアタブウェブの前記内縁が、該結合テープと前記ベースタブウェブの前記第２の主面との間に配置されるようにすることと、
前記オーバラップ領域に隣接する前記ベースタブウェブの前記第２の主面に前記結合テープを取り付けることと、
前記オーバラップ領域内で前記キャリアタブウェブの前記第１の主面に前記結合テープを取り付けることと、
ファスナ構成要素ウェブを、前記キャリアタブウェブの前記第１および第２の主面の少なくとも一方に取り付けることと、
を含む方法。
【請求項１６】
前記オーバラップ領域内で、前記キャリアタブウェブの前記第１の主面と前記ベースタブウェブの前記第２の主面との間に接着剤が配置されない、請求項１５に記載の方法。
【請求項１７】
前記結合テープを前記ベースタブウェブと前記キャリアタブウェブとに取り付けることが、前記結合テープを前記ベースタブウェブと前記キャリアタブウェブとに溶接することを含む、請求項１５又は１６に記載の方法。
【請求項１８】
前記結合テープを前記ベースタブウェブと前記キャリアタブウェブとに取り付けることが、前記結合テープを前記ベースタブウェブと前記キャリアタブウェブとに接着することと、前記結合テープを前記ベースタブウェブと前記キャリアタブウェブとに溶接することとを含む、請求項１５に記載の方法。
【請求項１９】
前記結合テープを前記ベースタブウェブと前記キャリアタブウェブとに取り付けることが、前記結合テープを前記ベースタブウェブと前記キャリアタブウェブとに接着することを含む、請求項１５に記載の方法。
【請求項２０】
前記結合テープが、前記ベースタブウェブと前記キャリアタブウェブとに面する感圧接着剤層を備える、請求項１８又は１９に記載の方法。
【請求項２１】
前記ベースタブウェブの少なくとも一部が、弾性シート材料を含む、請求項１５〜２０のいずれか１項に記載の方法。
【請求項２２】
前記キャリアタブウェブが非弾性である、請求項１５〜２１のいずれか１項に記載の方法。
【請求項２３】
前記結合テープが非弾性である、請求項１５〜２２のいずれか１項に記載の方法。
【請求項２４】
前記ファスナ構成要素ウェブを前記キャリアタブウェブに取り付けることが、前記ファスナ構成要素ウェブを前記キャリアタブウェブに接着することを含む、請求項１５〜２３のいずれか１項に記載の方法。
【請求項２５】
前記ファスナ構成要素ウェブが、メカニカルファスナ構成要素ウェブを含む、請求項１５〜２４のいずれか１項に記載の方法。
【請求項２６】
前記結合テープウェブを前記ベースタブウェブと前記キャリアタブウェブとに取り付けかつ前記ファスナ構成要素ウェブを前記キャリアタブウェブに取り付けた後に、前記複合ウェブを複数の別個のクロージャシステムに分離することを更に含み、それら別個のクロージャシステムの各々が、ベースタブ、キャリアタブ、結合テープおよびファスナ構成要素を備えるようにする、請求項１５〜２５のいずれか１項に記載の方法。
【発明の詳細な説明】
【背景技術】
【０００１】
例えば、使い捨ておむつなどの物品に使用されるクロージャシステムの製造は、クロージャシステムの異なる構成要素の接着取り付けを必要とする場合が多い。しかし、様々な構成要素に接着剤を塗布すると、接着剤の送達および配置の制御に関する問題が起こる可能性がある。接着剤の正確な送達および配置に関する問題は、製造ラインの処理能力を制限する可能性がある。また、接着剤の制御および配置は、例えば、接着剤が誤って塗布されたり又は塗布後に望ましくない位置に移行すると、製品の品質に悪影響を及ぼす可能性がある。
【０００２】
多くのクロージャシステムには、それらが組み込まれる物品に弾性を付与するため、弾性材料が組み込まれる。例えば、物品が、着用されるように設計されている衣類である場合、クロージャシステムの弾性は、着用者が動く時、動的フィット性又は快適さを提供するのに有用な場合がある。個人に着用されるように設計されていない物品では、弾性は、さもなければクロージャシステムの望ましくない解放を引き起こし得る力に応答する、クロージャシステムの丈夫さを改善する場合がある。
【０００３】
弾性は望ましい特性となる場合もあるが、クロージャシステムが適切に機能できるように保ちつつ、クロージャシステムに弾性構成要素を組み込むことは困難な可能性がある。例えば、メカニカルファスナ（例えば、フックアンドループ式クロージャ、両性クロージャなど）を弾性基材上に設けることは、一般に困難である。
【発明の開示】
【課題を解決するための手段】
【０００４】
本発明は、ファスニング構成要素を支持する安定なキャリアタブとベースタブを組み合わせるクロージャシステムを提供する。キャリアタブは、ベースタブの一方側とだけ重なり合い、結合テープによってベースタブに接続されている。結合テープは、キャリアタブの内縁を覆うように配置され、結合テープの一部はベースタブに取り付けられ、結合テープの別の部分は、キャリアタブに取り付けられている。その結果、キャリアタブの一部は、結合テープとベースタブの間に配置されている。
【０００５】
この構成の潜在的利点は、多数ある。例えば、結合テープは、ベースタブとキャリアタブに面する接着剤層を備えてもよい。その結果、製造中、キャリアタブのベースタブへの接着取り付けは、ベースタブ又はキャリアタブのどちらかに単独で接着剤を塗布することなく、達成できる。
【０００６】
接着テープを使用する別の潜在的利点は、クロージャが、例えば、おむつなどの衣類に使用される場合、着用者の皮膚に接着剤が露出する可能性を低減できるか又は無くすことができるということである。接着剤は、クロージャの他の構成要素に取り付けられる結合テープ上にだけ配置され、このようにして、クロージャ上に露出する接着剤がない（接着剤が本明細書に記載のファスナ構成要素の制御された環境で使用される場合を除く）。
【０００７】
一態様では、本発明は、外縁、および、第１および第２の主面を有するベースタブ；第１および第２の主面、内縁、および対向する外縁を有するキャリアタブであって、内縁および外縁がキャリアタブの長さを画定する、キャリアタブ；キャリアタブの第１および第２の主面の少なくとも一方に取り付けられているファスナ構成要素；ベースタブの外縁がキャリアタブの内縁と外縁の間に配置されるように、キャリアタブの第１の主面の一部がベースタブの第２の主面に面するオーバラップ領域；並びに、オーバラップ領域に隣接するベースタブの第２の主面に取り付けられており、更に、オーバラップ領域内でキャリアタブの第１の主面に取り付けられている結合テープを備えるクロージャシステムを提供し、ここで、キャリアタブの内縁は、結合テープと、ベースタブの第２の主面との間に配置されている。
【０００８】
別の態様では、本発明は、外縁、および、第１および第２の主面を有する弾性ベースタブ；第１および第２の主面、内縁、および対向する外縁を有するキャリアタブであって、内縁および外縁がキャリアタブの長さを画定し、キャリアタブが非弾性である、キャリアタブ；キャリアタブの第１および第２の主面の少なくとも一方に取り付けられているファスナ構成要素；弾性ベースタブの外縁がキャリアタブの内縁と外縁の間に配置されるように、キャリアタブの第１の主面の一部が弾性ベースタブの第２の主面に面するオーバラップ領域；並びに、オーバラップ領域に隣接する弾性ベースタブの第２の主面に接着取り付けおよび溶接され、更に、オーバラップ領域内でキャリアタブの第１の主面に接着取り付けおよび溶接されている結合テープを備えるクロージャシステムを提供し、ここで、キャリアタブの内縁は、結合テープと、弾性ベースタブの第２の主面との間に配置されており、更に結合テープは非弾性である。
【０００９】
別の態様では、本発明は、外縁、および、第１および第２の主面を有するベースタブウェブを提供する工程；第１および第２の主面、内縁、および対向する外縁を有するキャリアタブウェブを提供する工程；ベースタブウェブの外縁がキャリアタブウェブの内縁と外縁の間に配置されるように、キャリアタブウェブの第１の主面の一部がベースタブウェブの第２の主面に面するオーバラップ領域を形成するように、ベースタブウェブとキャリアタブウェブを整列させる工程；キャリアタブウェブの内縁を覆うように結合テープを整列させる工程であって、キャリアタブウェブの内縁が結合テープと、ベースタブウェブの第２の主面との間に配置される工程；オーバラップ領域に隣接するベースタブウェブの第２の主面に結合テープを取り付ける工程；オーバラップ領域内でキャリアタブウェブの第１の主面に結合テープを取り付ける工程；および、ファスナ構成要素ウェブを、キャリアタブウェブの第１および第２の主面の少なくとも一方に取り付ける工程；によるクロージャシステム用の複合ウェブの製造方法を提供する。
【００１０】
別の態様では、本発明は、外縁、および、第１および第２の主面を有する弾性ベースタブウェブを提供する工程；第１および第２の主面、内縁、および対向する外縁を有するキャリアタブウェブを提供する工程であって、キャリアタブウェブが非弾性である工程；弾性ベースタブウェブの外縁がキャリアタブウェブの内縁と外縁の間に配置されるように、キャリアタブウェブの第１の主面の一部が弾性ベースタブウェブの第２の主面に面するオーバラップ領域を形成するように、弾性ベースタブウェブとキャリアタブウェブを整列させる工程；キャリアタブウェブの内縁を覆うように結合テープを整列させる工程であって、キャリアタブウェブの内縁が、結合テープと、弾性ベースタブウェブの第２の主面との間に配置される工程であって、結合テープが非弾性であり、更に、結合テープが弾性ベースタブウェブおよびキャリアタブウェブに面する感圧接着剤層を備える工程；オーバラップ領域に隣接する弾性ベースタブウェブの第２の主面に結合テープを接着取り付けおよび溶接する工程；オーバラップ領域内でキャリアタブウェブの第１の主面に結合テープを接着取り付けおよび溶接する工程；および、キャリアタブウェブの第１および第２の主面の少なくとも一方にファスナ構成要素ウェブを取り付ける工程；によるクロージャシステム用の複合ウェブの製造方法を提供する。
【００１１】
本発明の前記および他の特徴および利点を、本発明の様々な例示的実施形態に関して以下に更に詳細に説明する。
【発明を実施するための最良の形態】
【００１２】
以下の例示的実施形態の詳細な説明において、本明細書の一部を形成し、本発明が実施され得る特定の実施形態を例証として示す添付の図面の図を参照する。他の実施形態を使用してもよく、本発明の範囲を逸脱することなく構造的変更がなされてもよいことを理解されたい。
【００１３】
図１は端面図（ｅｄｇｅ  ｖｉｅｗ）であり、図２は、本発明によるクロージャシステムの１つの例示的実施形態の平面図である。本クロージャシステムは、ベースタブ１０、キャリアタブ２０、結合テープ３０、およびキャリアタブ２０上に配置されるファスナ構成要素４０を備える。図２は、図１に示される端面図の下から、即ち、結合テープ３０が配置されている側から見たものである。
【００１４】
ベースタブ１０は、第１および第２の主面１１および１２（それぞれ）を備える。また、ベースタブ１０は、内縁１３および外縁１４も備える。ベースタブ１０は、慣用的なウェブ加工装置を使用して加工できるように可撓性であることが好ましい場合がある。
【００１５】
ベースタブ１０は、図２に両頭矢印１５で示される方向で主に弾性を示してもよく、又は、いずれか若しくは全ての方向で弾性を示してもよい。しかし、全ての方向における弾性は、弾性ベースタブ１０には必要でない。本明細書で使用する場合、「弾性である」又は「弾性」（およびこれらの変形）は、ベースタブ１０又はタブの少なくとも一部が、荷重に応答して伸長された場合、伸長を引き起こす荷重を取り除いた後、元の（即ち伸長前の）状態又はそれに近い状態まで回復する能力のことを指す。回復は、好ましくは、比較的短時間（例えば、１分以内）に起こる。
【００１６】
ベースタブ１０に好適なシート材料は、一体の均質な材料（例えば、ポリマーフィルム、不織布、織布、編み物、紙など）であってよい。或いは、それらは積層シート材料又は複合シート材料であってもよい。ベースタブ１０が弾性であるか、又は弾性の部分を備える場合、ベースタブ１０に使用される積層シート材料は、弾性を示す構成要素を１つだけ又はそれより多く備えてもよいが、その場合、積層シート材料は、全体として、所望の弾性を示す。
【００１７】
ベースタブ１０に好適な可能性がある幾つかの弾性シート材料の例は、例えば、米国特許第５，６５３，７０４号明細書（ブエル（Ｂｕｅｌｌ）ら）、同第５，８０７，３６８号明細書（ヘルマー（Ｈｅｌｍｅｒ））、同第５，８４０，４１２号明細書（ウッド（Ｗｏｏｄ）ら）、同第５，８８５，９０８号明細書（イェーガー（Ｊａｅｇｅｒ）ら）、同第６，１５９，５８４号明細書（イートン（Ｅａｔｏｎ）ら）、および、同第６，２７０，９１０号明細書（イェーガー（Ｊａｅｇｅｒ）ら）に記載されている。
【００１８】
ベースタブ１０に好適な弾性シート材料は、活性化されても（即ち、当業者に既知のようにシート材料の弾性を活性化させるために延伸されても）、又は活性化されなくてもよい。ベースタブ１０に使用されるシート材料は、（弾性を示すことができないか、又は活性化されていないため）弾性を示さない部分又はゾーンを備えてもよい。また、ベースタブ１０に使用されるシート材料は、（例えば、米国特許第５，８０７，３６８号明細書（ヘルマー（Ｈｅｌｍｅｒ）に付与）に記載されるように）１つ以上の外側不織繊維層を備えてもよい。
【００１９】
ベースタブ１０は、内縁１３を有するように示されているが、幾つかの場合、ベースタブ１０は、より大きい物品（例えば、おむつ、大人用失禁デバイス、ガウンなど）の一体延長部又は一体部分であり、このようなものとして、図１および図２の例示的クロージャシステムに関連して示されるような画定された内縁１３を有していなくてもよいことを理解されたい。
【００２０】
ベースタブ１０の外縁１４は、キャリアタブ２０がクロージャシステムに取り付けられているとき、延出する縁部である。外縁１４は、まっすぐな縁部として示されているが、外縁１４は任意の好適な形状（例えば、曲線状、シヌソイド状、鋸歯状など）を取り得ることが分かる。
【００２１】
キャリアタブ２０は、第１および第２の主面２１および２２、並びに、内縁２３および外縁２４を備える。キャリアタブ２０は、任意の好適なシート材料で製造されてもよいが、好ましくは非弾性である。本明細書で使用する時、「非弾性」は、キャリアタブ２０が、荷重に応答して伸長した後、顕著な回復を示さない、即ち、伸長の実質的に全てが永久的であることを意味する。キャリアタブ２０は、好ましくは非弾性であることに加えて、物品（例えば、使い捨て衣類、おむつ、失禁用デバイスなど）に意図されるように使用されるとき、実質的に非伸張性であることが好ましい場合がある。
【００２２】
キャリアタブ２０に好適な材料は、所望の非弾性および非伸張性を提供する任意のシート材料であってよい。キャリアタブ２０は、慣用的なウェブ加工装置を使用して加工できるように可撓性であることが好ましい場合がある。好適な材料の例には、一体の均質な材料（例えば、フィルム、不織布、織布など）が挙げられる。或いは、好適な材料は、全体として所望の特性（例えば、非弾性、非伸張性など）を示す、積層シート材料又は複合シート材料であってもよい。キャリアタブ２０用の材料の特定の構成に関わらず、材料は、好ましくは、本明細書に記載のファスナ構成要素の取り付けに好適な少なくとも１つの表面の少なくとも１つの領域を提供する。
【００２３】
キャリアタブに好適な可能性がある幾つかのシート材料の例には、布（織布、編み物など）、紙、セロハン（登録商標）フィルム、ポリマーフィルム（例えば、ポリオレフィン、ポリ（エチレンテレフタレート、ポリ（塩化ビニル）など）、不織材料（例えば、メルトブローンウェブ、又はスパンボンドウェブなど）などがある。例えば、ポリマーフィルム／不織布ラミネートなどのラミネートをキャリアタブ用のシート材料として使用してもよい。キャリアタブ２０に好適なポリマーシート材料は、例えば、米国特許第４，２３７，８８９号明細書（ゴブラン（Ｇｏｂｒａｎ））、同第４，７６９，２８３号明細書（サイピネン（Ｓｉｐｉｎｅｎ）ら）、および同第４，８０８，４７４号明細書（サイピネン（Ｓｉｐｉｎｅｎ））に記載されている。
【００２４】
ベースタブ１０およびキャリアタブ２０は、結合テープ３０を使用して互いに取り付けられている。結合テープ３０は、ベースタブ１０の主面１２およびキャリアタブ２０の主面２２に取り付けられている。このようなものとして、キャリアタブ２０の内縁２３は、ベースタブ１０の主面１２と、結合テープ３０との間に配置されている。結合テープ３０は、内縁３２および外縁３４を備え、内縁３２はベースタブ１０の内縁１３と外縁１４の間でベースタブ１０の主面１２に配置されている。結合テープ３０の外縁３４は、キャリアタブ２０の内縁２３と外縁２４の間でキャリアタブ２０の第２の主面２２に配置されている。
【００２５】
結合テープ３０は好ましくは非弾性である。その結果、結合テープ３０に取り付けられているベースタブ１０の部分の弾性が抑制される、即ち、それは結合テープ３０の非弾性の性質に拘束されるため弾性的に機能しない。
【００２６】
結合テープ３０は、ベースタブ１０およびキャリアタブ２０に面する表面に、接着剤３６の層を備えることが好ましいが、必ずしもその必要はない。接着剤３６は、好ましくは、例えば、米国特許第３，９３２，３２８号明細書（コープマン（Ｋｏｒｐｍａｎ））および同第５，０１９，０７１号明細書（バニー（Ｂａｎｙ）ら）に記載される感圧接着剤などの感圧接着剤であってよい。例えば、（例えば、米国特許第４，９７３，３２６号明細書（ウッド（Ｗｏｏｄ）ら）に記載されるような）熱活性化結合、又は、米国特許第５，１４９，７４１号明細書（アルパー（Ａｌｐｅｒ）ら）および同第６，１８４，２８５Ｂ１号明細書（ハットフィールド（Ｈａｔｆｉｅｌｄ）ら）に使い捨ておむつ製造に関連して記載されている構造接着剤など、他の取り付け又は結合技術を感圧接着剤の代わりに使用してもよい。
【００２７】
幾つかの場合、結合テープ３０とベースタブ１０およびキャリアタブ２０の唯一の取り付けは、結合テープ３０の接着剤３６を使用する、接着取り付けであってもよい。或いは、結合テープ３０をベースタブ１０および／又はキャリアタブ２０に溶接することにより、接着剤３６によって提供される接着取り付けを補足することが好ましい場合がある。溶接は、例えば、化学溶接（例えば、溶媒を使用）、超音波溶接、ヒートシール、熱溶接など、任意の好適な技術で実施されてもよい。使用され得る別の溶接技術には、例えば、米国特許第４，８５４，９８４号明細書および同第４，９１９，７３８号明細書（共に、ボール（Ｂａｌｌ）らに付与）に記載されるような動的機械化溶接がある。
【００２８】
溶接が接着取り付けの補足として使用される場合、接着剤３６は、接着剤３６の組成および接着剤３６を結合テープ３０上に提供する方法の両方の点で、使用される溶接技術と適合性がなければならない。接着剤を補足するために溶接を使用する場合、例えば、結合テープ３０上に設ける接着剤３６の層をより薄くすることが望ましい場合がある。より薄い接着剤層は、好ましくは、製造プロセス中、結合テープ３０を所定の位置に溶接することができるまで、ベースタブ１０、キャリアタブ２０、および結合テープ３０を位置決めするための位置決め結合を提供し得る。接着剤層をより薄くすることの他の代替には、溶接される領域が、接着剤３６を含まないか、又は結合テープ上の周囲の領域より薄い接着剤３６の層を備え得るように、結合テープ３０をパターンコーティングすることが挙げられる。
【００２９】
また、結合テープ３０をベースタブ１０およびキャリアタブ２０に取り付けるのに溶接を使用する場合、互いに向かい合う表面に存在する材料は、好ましくは、使用される溶接技術と適合性がなければならない。例えば、結合テープ３０は、好ましくは、溶接に適するフィルム支持体を有してもよく、又は、溶接に適するフィルム層を備える複合材料であってもよい。同様に、結合テープ３０が溶接されるベースタブ１０の第２の主面１２およびキャリアタブ２０の第２の主面２２も、好ましくは、溶接に適する組成を有する。
【００３０】
結合テープ３０は、接着剤３６を有するように示されているが、結合テープ３０をベースタブ１０およびキャリアタブ２０に取り付けるのに接着剤を使用することは任意選択的である。幾つかの場合、結合テープ３０は、溶接だけでベースタブ１０および／又はキャリアタブに取り付けられてもよい。溶接は、例えば、化学溶接（例えば、溶媒を使用）、超音波溶接、ヒートシール、熱溶接など、任意の好適な技術で実施されてもよい。使用され得る別の溶接技術には、例えば、米国特許第４，８５４，９８４号明細書および同第４，９１９，７３８号明細書（共に、ボール（Ｂａｌｌ）らに付与）に記載されるような動的機械化溶接がある。
【００３１】
ベースタブ１０およびキャリアタブ２０の配置において、オーバラップ領域１８が作り出されるように２つのタブが互いに重なり合うことが好ましい場合がある。オーバラップ領域１８の境界は、ベースタブ１０の外縁１４およびキャリアタブ２０の内縁２３（並びに、ベースタブ１０およびキャリアタブ２０の側部）によって画定される。その結果、ベースタブ１０の外縁１４は、キャリアタブ２０の内縁２３と外縁２４の間に配置される。オーバラップ領域１８の境界は図２に見られ、そこで、ベースタブ１０の外縁１４およびキャリアタブ２０の内縁２３は、結合テープ３０の反対側に配置されているため、隠れ線（破線）で示されている。
【００３２】
オーバラップ領域１８内で、キャリアタブ２０の主面２１はベースタブ１０の主面１２に面する。図示されている実施形態では、キャリアタブ２０の主面２１とベースタブ１０の主面１２の間に接着剤は提供されていない、即ち、キャリアタブ２０の主面２１はベースタブ１０の主面１２に接着されていない。むしろ、ベースタブ１０とキャリアタブ２０の取り付けは、ベースタブ１０の第２の主面１２およびキャリアタブ２０の第２の主面２２に取り付けられる結合テープ３０を介して達成されている。
【００３３】
オーバラップ領域１８は、好ましくは、結合テープ３０の境界内に配置されてもよい。ベースタブ１０とキャリアタブ２０を重ね合わせることによって、ベースタブ１０およびキャリアタブ２０に面する結合テープ３０の側にある接着剤３６は、ベースタブ１０およびキャリアタブ２０のどちらか又は両方で被覆される。或いは、オーバラップ領域１８は、結合テープ３０の境界の外側に延びてもよい。例えば、ベースタブ１０の外縁１４は、結合テープ３０の外縁３４とキャリアタブ２０の外縁２４との間に配置されてもよい。しかし、図示されている実施形態では、ベースタブ１０の外縁１４は、結合テープ３０の内縁３２と外縁３４との間、即ち、結合テープ３０の境界内に配置されている。
【００３４】
図１および図２の例示的実施形態の結合テープ３０は、また、別の任意選択的特徴、即ち、結合テープ３０がキャリアタブ２０の幅と同延であることも示しており、ここで、キャリアタブ２０の幅は、図２の両頭矢印１５によって画定される方向を横切るように測定される。結合テープ３０は、ベースタブ１０の幅とも同延であるが、結合テープ３０は、必ずしもベースタブ１０と同延でなくてもよい（例えば、キャリアタブ２０がベースタブ１０より狭い幅を有するとき）。
【００３５】
図１および図２のクロージャシステムは、また、キャリアタブ２０上に配置されるファスナ構成要素４０も備える。ファスナ構成要素４０は、任意の好適な技術又は技術の組み合わせによってキャリアタブ２０に取り付けられてもよい。幾つかの好適な技術には、１種類以上の接着剤、溶接（熱溶接、超音波溶接、動的機械化結合溶接（ｄｙｎａｍｉｃ  ｍｅｃｈａｎｉｃａｌ  ｂｏｎｄｉｎｇ  ｗｅｌｄｉｎｇ）、化学溶接など）、クリップ、ステープル、縫合などが挙げられる。
【００３６】
図示されているファスナ構成要素４０は、キャリアタブ２０の第２の主面２２に取り付けられているが、或いは、それを第１の主面２１に取り付けることができる。更に別の代替では、ファスナ構成要素は、キャリアタブ２０の第１および第２の主面２１および２２の両方に取り付けることができる。
【００３７】
図示されているファスナ構成要素４０は、物品を一緒に止着するためのステム４６（例えば、フック、マッシュルーム形の構造など）を備えるフック形メカニカルファスナである。このようなファスニングシステムは当該技術分野で周知であり、幾つかの好適な例は、米国特許第４，８９４，０６０号明細書（ネステガード（Ｎｅｓｔｅｇａｒｄ））および同第５，０７７，８７０号明細書（メルビー（Ｍｅｌｂｙｅ）ら）に記載されている。ファスナ構成要素４０は、或いは、フックアンドループ式のクロージャシステムのループ構成要素であってもよい。幾つかのループ構成要素は、例えば、米国特許第５，６１６，３９４号明細書（ゴーマン（Ｇｏｒｍａｎ））および同第５，６０５，７２９号明細書（モディ（Ｍｏｄｙ））に記載されている。ファスナ構成要素４０は、フックアンドループ式クロージャの代わりに、例えば、感圧接着剤、両性クロージャ、粘着材、非粘着性接着剤など、既知の任意のファスニング技術に依拠してもよい。
【００３８】
図３を参照すると、クロージャシステムを製造する一方法の図が示されている。製造方法は、高速および／又は経済的製造が実施され得るように、クロージャシステムの構成要素のそれぞれにウェブを使用することを必要とする。クロージャシステムを製造するのに提供されるウェブには、ベースタブウェブ１１０、キャリアタブウェブ１２０、結合テープ１３０、およびファスナウェブ１４０が含まれ、これらは、一緒に複合ウェブ１００を形成する。ウェブおよび得られる複合ウェブ１００は、好ましくは、製造プロセス中、ウェブ加工装置内を、矢印１０２によって示される機械方向に沿って進む。
【００３９】
ベースタブウェブ１１０は、ウェブ１１０の全てが弾性である弾性シート材料であってもよい。或いは、ベースタブウェブ１１０に使用されるシート材料は、（弾性を示すことができないか、又は活性化されていないため）弾性を示さない１つ以上の部分又はゾーンを備えてもよい。
【００４０】
図３に見られるように、ベースタブウェブ１１０およびキャリアタブウェブ１２０は、キャリアタブウェブ１２０の主面１２１の一部がベースタブウェブ１１０の主面１１２に面するオーバラップ領域１１８を形成するように整列される。オーバラップ領域１１８のため、ベースタブウェブ１１０の外縁１１４は、キャリアタブウェブ１２０の内縁１２３と外縁１２４の間に配置される。オーバラップ領域１１８内で、キャリアタブウェブ１２０の主面１２１と、ベースタブウェブ１１０の主面１１２との間に接着剤が配置されないことが好ましい。
【００４１】
図示されている方法は、また、キャリアタブウェブ１２０の内縁１２３が、結合テープ１３０と、ベースタブウェブ１１０の主面１１２との間に配置されるように、キャリアタブウェブ１２０の内縁１２３を覆うように結合テープ１３０を整列させることも包含する。
【００４２】
結合テープ１３０は、ベースタブウェブ１１０の主面１１２に、オーバラップ領域１１８に隣接して、即ち、結合テープ１３０の縁１３２とキャリアタブウェブ１２０の内縁１２３との間に取り付けられる。結合テープ１３０は、また、キャリアタブウェブ１２０の主面１２２に、即ち、キャリアタブウェブ１２０の内縁１２３と結合テープ１３０の縁１３４との間に取り付けられる。
【００４３】
結合テープ１３０は、任意の好適な技術又は技術の組み合わせによって、ベースタブウェブ１１０又はキャリアタブウェブ１２０に取り付けられてもよい。結合テープ１３０をベースタブ又はキャリアタブに取り付ける様々な手法が図１および図２に関連して前述されており、ここではその説明を繰り返さないが、但し、様々なウェブの取り付けは任意の所望の順番で行われてもよいことに言及しておく。例えば、オーバラップ領域１１８を画定するように、ベースタブウェブ１１０をキャリアタブウェブ１２０と整列させる前又は整列させた後に、結合テープ１３０をキャリアタブウェブ１２０に取り付けてもよい。或いは、ベースタブウェブ１１０およびキャリアタブウェブ１２０の整列は、結合テープをどちらかのウェブに取り付ける前に行ってもよい。
【００４４】
図３に見られるように、接着剤１３６が結合テープ１３０上に提供される場合、接着剤１３６は、好ましくは、オフライン操作で結合テープ１３０に塗布されてもよい。例えば、好ましくは、結合テープ１３０の前に別に、接着剤１３６を結合テープ１３０にコーティング又は転写し、続いて、接着剤１３６を有する結合テープ１３０を巻いてもよい。図示されている方法に使用されるとき、接着剤１３６を有する結合テープ１３０は、巻き出されて、プロセスに送られる。しかし、ウェブ加工の当業者には、接着剤１３６が、或いは、図３に示されている製造プロセスのライン内で接着剤をコーティングされ得ることが分かる。
【００４５】
図３に示されている方法の別の部分は、ファスナ構成要素ウェブ１４０のキャリアタブウェブ１２０への整列および取り付けである。図示されている方法では、ファスナ構成要素ウェブ１４０は、ファスナ構成要素ウェブ１４０をキャリアタブウェブ１２０の主面１２２に取り付けるのに使用され得る接着剤層１４８を備えるが、任意の好適な技術又は技術の組み合わせを使用してファスナ構成要素ウェブ１４０をキャリアタブウェブ１２０に取り付けることができる。
【００４６】
また、ファスナ構成要素ウェブ１４０は、キャリアタブウェブ１２０の主面１２２に取り付けられるものとして示されているが、ファスナ構成要素ウェブ１４０は、キャリアタブウェブ１２０の反対側の主面１２１に取り付けられ得ることが分かる。別の代替では、ファスナ構成要素ウェブは、キャリアタブウェブ１２０の両方の主面１２１および１２２に取り付けられ得ることが分かる。また、ファスナ構成要素は、両方の主面１２１および１２２に取り付けられる場合、同じでなくてもよいことも想到される。一例として、一方の主面のファスナ構成要素は、フックファスナであってもよく、反対側の主面のファスナ構成要素は、相補的なループファスナであってもよい。また、２つ以上のファスナ構成要素ウェブをキャリアタブウェブ１２０の主面１２１および１２２のいずれか１つに取り付けることもできる。
【００４７】
様々なウェブを整列させ、取り付けた後、矢印１０２によって示される機械方向を概ね横切る方向に沿って複合ウェブ１００を分離させることにより、クロージャシステム（図１および図２に示されるものなど）を製造することができる。更に、図３に示される複合ウェブ１００は、一列の、又は、「１列分の」（“ｏｎｅ−ｕｐ”  ｒｏｗ）クロージャシステムになるようにシート形成できるが、キャリアタブウェブ１２０の幅を広くして、２列のクロージャシステムになるようにシート形成できる「２列分の（ｔｗｏ−ｕｐ）」複合ウェブを形成するように、追加のベースタブウェブ、結合テープ１３０およびファスナ構成要素ウェブ１４０が取り付けられ得ることが分かる。「２列分の（ｔｗｏ−ｕｐ）」複合ウェブを分離するのに使用され得るシート形成パターンの例は、例えば、米国特許第５，３９９，２１９号明細書（レスラー（Ｒｏｅｓｓｌｅｒ）ら）の図４、および米国特許第６，４０６，４６７Ｂ１号明細書（ディルニク（Ｄｉｌｎｉｋ）ら）の図９Ｂに示されている。
【００４８】
図４は、本発明に従って製造される１対のクロージャシステムを備える物品の平面図である。図示される物品２５０は、例えば、おむつ又は大人用失禁用デバイスなどの吸収性衣類である。しかし、前述のように、本発明のクロージャシステムは、任意の衣類（例えば、ガウン、ローブ、ベストなど）又はファスニング要素を必要とする他の任意の物品（例えば、ケーブルタイ（ｃａｂｌｅ  ｔｉｅｓ）、寝具など）に使用されてもよい。
【００４９】
物品２５０は、シャシ２５２に取り付けられる１対のクロージャシステム２００を備える。各クロージャシステム２００のベースタブ２１０は、好ましくは、前述のように弾性があり、任意の好適な技術又は技術の組み合わせによってシャシに取り付けられてもよい。好適な技術には、１種類以上の接着剤、溶接（熱溶接、超音波溶接、動的機械化結合溶接、化学溶接など）、クリップ、ステープル、縫合などが挙げられる。
【００５０】
クロージャシステム２００は、それぞれ、結合テープ２３０によってベースタブ２１０に取り付けられているキャリアタブ２２０上に１対のファスナ構成要素２４０を備える。各ファスナ構成要素２４０は、露出した感圧接着剤２４８を備え、シャシ２５２の背面に取り付けられると、物品が着用者の所定の位置に保持される（ここで、シャシの背面は図４の観察者の方を向いていない側である）。例えば、米国特許第５，３００，０５７号明細書（ミラー（Ｍｉｌｌｅｒ）ら）、および同第５，６６０，６６６号明細書（ディルニク（Ｄｉｌｎｉｋ）ら）に記載されるように、ファスナ構成要素２４０を確実に取り付けるため、相補的なファスナ構成要素を、好ましくは、シャシ２５２の背面に設けてもよいことを理解されたい。
【００５１】
図示されている実施形態では、接着ファスナ構成要素２４０は、クロージャシステム２００の幅全体に（軸２４１に沿って）延びていないパッチの形態で設けられている。或いは、ファスナ構成要素は、例えば、図２に見られるように、クロージャシステム２００の幅全体に延びていてもよい。
【００５２】
本明細書に引用される全ての参考文献および出版物は、参照によりその内容全体が本開示に明示的に援用される。本発明の例示的実施形態を説明し、本発明の範囲に入る可能な変形を参照してきた。本発明の前記および他の変形および変更は、本発明の範囲を逸脱することなく、当業者に明らかであり、本発明は、本明細書に記載される例示的実施形態に限定されないことを理解されたい。従って、本発明は、前述の特許請求の範囲およびその同等物によってのみ限定される。
【図面の簡単な説明】
【００５３】
【図１】本発明による１つのクロージャシステムの端面図（ｅｄｇｅ  ｖｉｅｗ）である。
【図２】図１に見られるクロージャシステムの下から見た図１のクロージャシステムの平面図である。
【図３】本発明によるクロージャシステムの１つの製造プロセスの図である。
【図４】物品に取り付けられている本発明の２つのクロージャシステムの図である。
【図１】
2007507251.tif 000003
【図２】
2007507251.tif 000004
【図３】
2007507251.tif 000005
【図４】
2007507251.tif 000006
【国際調査報告】
2007507251.tif 000007
2007507251.tif 000008
2007507251.tif 000009